(57)【特許請求の範囲】
【請求項１】
ロールボックスパレットに載せる物品を拘束する拘束具であって、
物品が載る上面に弾性を有する板材が一体に固定されていてロールボックスパレットの左右側面枠間に架設される棚板と、
左右の幅が前記棚板の左右端部間と略同じ幅、前後の長さが前記棚板の前後端部間よりも長い大きさに形成された伸縮性を有するカバー材の後端部に前記棚板の後部に取り付けられる後側棒体、前端部に前記ロールボックスパレットの左右側面枠間に架設可能な長さを有する前側棒体がそれぞれ取り付けられてなる包持部材と、
前記包持部材の前側棒体を前記棚板の下方で前記ロールボックスパレットの左右側面枠に固定する固定部材と、
を備えた構成を有することを特徴とする物品拘束具。
【請求項２】
包持部材のカバー材はウレタン系の合成樹脂材からなるストレッチフィルムである請求項１に記載の物品拘束具。
【請求項３】
固定部材は前側棒体の両端部に取り付けられたベルト部材である請求項１又は２に記載の物品拘束具。
【請求項４】
請求項１〜３の何れかに記載の物品拘束具が取り付けられたロールボックスパレット。
【請求項５】
請求項４に記載のロールボックスパレットに物品を収納するにあたり、
包持部材の前側棒体を引っ張ってカバー材をロールボックスパレットの前方に引き出し、前側棒体を左右側面枠間の上部に架設しておいた状態で棚板上に物品を載せ、
この物品に包持部材を覆い被せた後、包持部材の前側棒体を前記棚板の下方へ引っ張ってカバー材にテンションを与え、伸張させたカバー材を物品の上面に密着させるとともに、このテンションを保持したまま前記前側棒体を固定部材でロールボックスパレットの左右側面枠に固定することにより前記棚板上に物品を拘束する物品の固定方法。
【発明の詳細な説明】
【技術分野】
【０００１】
本発明は、ロールボックスパレットに収納する物品を当該パレット内の所定の位置に固定するための物品拘束具に関する。
【背景技術】
【０００２】
一つ又は複数口の比較的小さな荷物を個人宅に荷物配送する形態として、荷主の戸口から届け先の戸口まで配達する宅配便が広く利用されているが、例えば事業主が装置や機材といった比較的大きな貨物や部品などの中ロット貨物を配送に供する場合は、依頼主先にロールボックスパレットを持ち込んで配送する貨物を積込み、このロールボックスパレットを輸送途中で貨物の積み替えを行うことなく受取主先まで配送し、受取主先で積込まれた貨物を引き渡す配送形態、つまり一台のロールボックスパレットを一つの輸送単位とした貨物の配送形態を利用するのが一般的である（例えば特許文献１参照）。
【０００３】
また、左右側面枠の間に一つ以上の棚板を架設することにより、底板上方の物品収納空間を多段に仕切って構成されたロールボックスパレットが知られている（例えば特許文献２参照）。
【先行技術文献】
【特許文献】
【０００４】
【特許文献１】特開２０１１−２０７５９３号公報
【特許文献２】特開平１１−１２９９１０号公報
【発明の概要】
【発明が解決しようとする課題】
【０００５】
ロールボックスパレット内が棚板で多段に仕切られていれば、物品をその大きさに応じて各段の物品収納空間に収納して配送することが可能であるが、収納した物品間に隙間があると、配送中に物品が移動して荷崩れや破損を来す虞がある。そのため、各段に収納した物品が移動しないように、紐や止着テープなどで位置固定させる手間が必要であった。
また、精密部品や小型の機材などの物品をロールボックスパレットを利用して配送する場合、前記配送中の荷崩れなどにより物品が破損することを防止するため、物品を緩衝材が充填された段ボール箱などに入れて厳重に梱包しているのが通常であるが、これらの梱包資材は受取主先で物品を取り出した後は不要となるものであり、利用者が負担する配送コストは高くならざるを得ないのが実状である。
【０００６】
本発明は従来の技術の有するこのような問題点に鑑み、精密部品などの上積みすることができない物品であっても、段ボール箱などの梱包資材を用いることなく、ロールボックスパレット内に簡易な操作で安定的に固定して収納し、配送中に位置をずらすことなく、当初の収納位置に保持したまま配送できるようにすることを課題とする。
【課題を解決するための手段】
【０００７】
前記課題を解決するため本発明の物品拘束具は、ロールボックスパレットに載せる物品を拘束する拘束具であって、物品が載る上面に弾性を有する板材が一体に固定されていてロールボックスパレットの左右側面枠間に架設される棚板と、左右の幅が前記棚板の左右端部間と略同じ幅、前後の長さが前記棚板の前後端部間よりも長い大きさに形成された伸縮性を有するカバー材の後端部に前記棚板の後部に取り付けられる後側棒体、前端部に前記ロールボックスパレットの左右側面枠間に架設可能な長さを有する前側棒体がそれぞれ取り付けられてなる包持部材と、前記包持部材の前側棒体を前記棚板の下方で前記ロールボックスパレットの左右側面枠に固定する固定部材と、を備えた構成を有することを特徴とする。
【０００８】
前記構成の物品拘束具において、包持部材のカバー材はウレタン系の合成樹脂材からなるストレッチフィルムであることが好ましい。
また、固定部材は、包持部材の前側棒体の両端部に取り付けられたベルト部材であることが好ましい。
【０００９】
また、本発明のロールボックスパレットは、その内部に前記構成の物品拘束具が取り付けた構成を有することを特徴とする。
かかるロールボックスパレットに物品を収納する手順は、先ず、包持部材の前側棒体を引っ張ってカバー材をロールボックスパレットの前方に引き出し、前側棒体を左右側面枠間の上部に架設しておいた状態で棚板上に物品を載せ、この物品に包持部材を覆い被せる。
次いで、包持部材の前側棒体を前記棚板の下方へ引っ張ってカバー材にテンションを与え、伸張させたカバー材を物品の上面に密着させる。
そして、このテンションを保持したまま前記前側棒体を固定部材でロールボックスパレットの左右側面枠に固定することにより、前記棚板上に物品を拘束して物品を固定することができる。
【発明の効果】
【００１０】
本発明によれば、精密部品などの上積みすることができない物品であっても、これが物品拘束具の棚板に載る大きさのものであれば、棚板に載せた物品に包持部材のカバー材を被せ、カバー材にテンションを与えて物品に密着させた状態で包持部材を固定するという簡易な操作によって、棚板上の物品を安定的に固定して収納し、配送中に位置をずらすことなく、当初の収納位置に保持したまま配送に供することができる。
簡易な操作でロールボックスパレット内に設けた棚板上に物品を固定することができるので、物品の積み込みや取り出す作業に手間がかからず、物品を保護するための箱や緩衝材といった過剰な梱包資材も不要となり、本発明はロールボックスパレットを一つの輸送単位とした貨物の配送形態における配送コストの低減に大きく寄与するものである。
【図面の簡単な説明】
【００１１】
【図１】本発明の物品拘束具を取り付けたロールボックスパレットの外観図である。
【図２】図１の物品拘束具の棚板の正面図と平面図である。
【図３】図２の棚板を構成する棚枠の平面図と側面図である。
【図４】図３の棚枠の後側棚枠の正面図、平面図及び側面図である。
【図５】図３の棚枠の前側棚枠の正面図と平面図である。
【図６】図１の物品拘束具の包持部材と固定部材の構成図である。
【図７】図１のロールボックスパレットにおける物品を積み込み前の状態の外観図である。
【図８】図７のロールボックスパレットに物品を積み込んだ状態の外観図である。
【図９】図８のロールボックスパレットの物品に包持部材を被せた状態の外観図である。
【図１０】図９のロールボックスパレットの物品を物品拘束具で固定した状態の外観図である。
【図１１】ロールボックスパレット内に物品拘束具を二つ取り付けて物品を固定した状態の外観図である。
【発明を実施するための形態】
【００１２】
本発明の好適な一実施形態を、図面を参照して説明する。
図１は、本発明の物品拘束具を取り付けたロールボックスパレットの外観を示しており、このロールボックスパレット１は、下面にキャスター１１が取り付けられた底板１２の周辺を正面壁枠（図示せず）、左右側面壁枠１３，１４及び背面壁枠１５で囲って底板１２上に物品収納空間を形成してなり、その物品収納空間の略中間高さ位置に、物品拘束具２を左右側面枠１３，１４間に水平に架設して取り付けたものである。
【００１３】
物品拘束具２は、図１、図２及び図６に示されるように、ロールボックスパレット１の左右側面枠１３，１４間に架設される棚板３と、棚板３の後側下部に格納されていて物品を梱包する際に棚板３の上方に繰り出して物品を固定する包持部材４と、包持部材４の前端部両側に設けられた固定部材５，５とを備えて構成してある。
【００１４】
棚板３は、図２及び図３に示されるように、後側枠材３１と前側枠材３２からなる棚枠の上面に、ポリプロピレン樹脂などからなる弾性を有する板材３３を一体に固定し、全体としてその左右がロールボックスパレット１の底板１２の左右幅と略同じ幅、その前後が底板１２の前後幅よりも若干短い幅の大きさに形成してある。
【００１５】
詳しくは、後側枠材３１は、図４に示されるように、ロールボックスパレット１の左右側面枠１３，１４間に亘る長さを有するコ字形断面の鋼材からなる二本の板受け３１ａ，３１ａを鋼製のつなぎ材３１ｂ，３１ｂで一体に連結するとともに、後側に配置した板受け３１ａの上面に表面をパンチングして軽量化を図った枠板３１ｃを固着して形成してある。両板受け３１ａ，３１ａの両側部には、左右側面枠１３，１４の横桟に掛合する引っ掛けフック３１ｄ，３１ｄを一体に取り付けてある。また、枠板３１ｃの両側部は下方に屈曲した折れ部となっており、両折れ部に後述する包持部材４の後側棒体４３の両端部を支持する取付部３１ｅ，３１ｅを設けてある。
【００１６】
前側枠材３２は、図５に示されるように、前記後側枠材３１の板受け３１ａと同寸の板受け３２ａからなり、その両側には、前記左右側面枠１３，１４の横桟に掛合する引っ掛けフック３２ｂ，３２ｂを一体に取り付けてある。
【００１７】
また、板材３３は、図２に示されるように、折り畳み可能にヒンジ連結された後側板材３３ａと前側板材３３ｂからなり、後側板材３３ａは後側枠材３１の上面に、前側板材３３ｂは前側枠材３２の上面にそれぞれ固定してある。
棚板３は、前記板材３３のヒンジ部分で折り曲げることにより、前側板材３３ｂ及び前側枠材３２を，後側枠材３１に固定された後側板材３３ａの上面に折り重ねることができるように構成してある。
【００１８】
包持部材４は、図６に示されるように、適宜な大きさに形成されたカバー材４１の前後両端を、それぞれ前側棒体４２と後側棒体４３に固定して形成してある。
【００１９】
詳しくは、カバー材４１は、例えばウレタン系の合成樹脂材からなるストレッチフィルムなどの伸縮性に富んだ材料を用い、その左右の幅（Ｄ）が前記棚板３の左右端部間と略同じ幅、その長さ（Ｌ）が前記棚板３の前後端部間よりも長い大きさに形成してある。
例えばカバー材４１として前記ストレッチフィルムを用いた場合、棚板３の板受け３１ａ，３２ａの両端部間の幅が１０４０ｍｍ程度、前後端部間の長さが９５０ｍｍ程度であるのに対して、カバー材４１の幅Ｄを９００ｍｍ程度、長さＬを１８００ｍｍ程度に設定して形成することができる。
【００２０】
前側棒体４２は、ロールボックスパレット１の左右側面枠１３，１４間に架設可能な長さを有するアルミ製の角パイプからなり、その表面に両面粘着テープを介して前記カバー材４１の前端部を一体に固着してある。
また、後側棒体４３は、ステンレス製の丸パイプからなり、その表面に前記カバー材４１の後端部をループ状に巻き、且つ重合部を固着して、カバー材４１の後端部を固定してある。
【００２１】
前記後側棒体４３は、その両端部４３ａ、４３ａを、前記棚板３の後側枠材３１に設けた枠板３１ｃの取付部３１ｅ，３１ｅに係合させて、枠板３１ｃの下側に回転自在に取付けてあり、物品拘束具２を使用しないときには、カバー材４１を後側棒体４３の周面に棚板３の後部下方に格納することができるように設けてある。なお、カバー材４１の略全体を後側棒体４３に巻き付けた際、前側棒体４２は前記枠板３１ｃの上面に載せて置かれる。
【００２２】
固定部材５，５は、伸縮素材を用いて適宜な幅及び長さに形成された紐状のベルト部材からなり、図６に示されるように、その一端を前記包持部材４の前側棒体４２の両端部にそれぞれ取付けてある。
固定部材５，５は、その長さを適宜に調節自在に設けられ、その端部にはロールボックスパレット１の左右側面枠１３，１４に着脱自在に連結する連結金具５１，５１を設けてあり、ロールボックスパレット１に取付けた前記棚板３の前方に包持部材４の前側棒体４２を配置した状態で、固定部材５，５の連結金具５１，５１を左右側面枠１３，１４にそれぞれ接続するとともにその長さを適宜に調節して左右側面枠１３，１４に固定部材５，５を緊縛することにより、前記前側棒体４２を、ロールボックスパレット１の前面の適宜な高さの位置に固定することができるようになっている。
【００２３】
このように構成された本形態の物品拘束具２は、その棚板３の引っ掛けフック３１ｄ，３１ｄ，３２ｂ，３２ｂを、ロールボックスパレット１の左右側面枠１３，１４の横桟に掛合させて、左右側面枠１３，１４間に棚板３を架設して取り付けることにより、精密部品などの上積みができない物品の配送に利用するロールボックスパレット１を構成することができる。
【００２４】
このロールボックスパレット１への物品の積み込みと固定は、以下のようにして行うことができる。
先ず、図７に示されるように、包持部材４の前側棒体４２を引っ張ってカバー材４１をロールボックスパレット１の前方に引き出す。この際、前側棒体４２は、左右側面枠１３，１４の上部に架設しておくことができる。
次いで、図８に示されるように、棚板３の上面に物品を載せた後、図９に示されるように、物品の上面にカバー材４１を覆い被せる。
次いで、包持部材４の前側棒体４２を棚板３の架設位置よりも下方へ引っ張ってカバー材４１にテンションを与え、伸張させたカバー材４を物品の上面に密着させる。
さらに、このテンションを保持したまま、固定部材５，５を操作して左右側面枠１３，１４に緊縛し、前側棒体４２をロールボックスパレット１の左右側面枠１３，１４に固定することにより、棚板３に載せた物品を密着するカバー材４１で拘束してロールボックスパレット１内に固定することができる。
【００２５】
そして、ロールボックスパレット１に前面壁枠（図示せず）を取り付けて当該パレットの前側の開口を閉鎖した後、これを配送車両に積み込むなどして配送に供することができる。
図１１に示されるように、ロールボックスパレット１内に物品拘束具２を多段に取付け、各拘束具の棚板３に物品を載せて固定するようにしてもよい。
【００２６】
これによれば、精密部品などの上積みすることができない物品であっても、棚板３に載せた物品に包持部材４のカバー材４１を被せ、カバー材４１にテンションを与えて物品に密着させた状態で包持部材４１の前側棒体４２を固定するという簡易な操作により、棚板３上の物品を安定的に固定して収納し、配送中に位置をずらすことなく、当初の収納位置に保持したまま配送することが可能である。
また、簡易な操作でロールボックスパレット１内に設けた棚板３上に物品を固定することができるので、物品の積み込みや取り出す作業に手間がかからず、物品を保護するための箱や緩衝材といった過剰な梱包資材も不要となる。無論、緩衝材で梱包された物品を物品拘束具２を用いて固定することや、ロールボックスパレット１内に緩衝材を装填することは任意である。
【００２７】
なお、図示したロールボックスパレット１及び物品拘束具２は、本発明の実施形態の一例を示すものであり、本発明はこれらに限定されず、他の適宜な形態で構成することが可能である。
図示した形態では、物品拘束具２を、棚板３と包持部材４と固定部材５とが一体に接続して構成したが、各部材を分離して構成してもよい。また、カバー材４１は、伸縮性に富んだ素材のものであれば、ストレッチフィルム以外のものを用いてもよく、固定部材５としてベルト部材の他に、金具などの機械的に連結する部材などを用いてもよい。
【符号の説明】
【００２８】
１  ロールボックスパレット、１１  キャスター、１２  底板、１３，１４  左右側面壁枠、１５  背面壁枠、２  物品拘束具、３  棚板、３１  後側枠材、３２  前側枠材、３３  板材、４  包持部材、４１  カバー材、４２  前側棒体、４３  後側棒体、５  固定部材
【図１】
0006054631.tif 000002
【図２】
0006054631.tif 000003
【図３】
0006054631.tif 000004
【図４】
0006054631.tif 000005
【図５】
0006054631.tif 000006
【図６】
0006054631.tif 000007
【図７】
0006054631.tif 000008
【図８】
0006054631.tif 000009
【図９】
0006054631.tif 000010
【図１０】
0006054631.tif 000011
【図１１】
0006054631.tif 000012